(57)【特許請求の範囲】
【請求項１】
紙板の中央部に設けられた折目線で囲まれた方形の底隅角部から外側へ向けて設けられたほぼ３０度の２本の折目線に沿って折曲げ、側壁を形成して有底箱を構成し、この有底箱の口部に、短筒の上縁カール部の内側に頂板を嵌着固定した蓋を被冠し、一端を、前記有底箱の側壁の内側になった折曲げ部に夫々固定した紐の他端側は、前記頂板の孔を挿通し、頂板の上で縛着したことを特徴とする組立箱。
【請求項２】
紙板の中央部に設けられた折目線で囲まれた方形の底隅角部から外側へ向けて設けられたほぼ３０度の２本の折目線に沿って折曲げ、側壁を形成して有底箱を構成し、この有底箱の口部に、短筒の上縁カール部の内側に頂板を嵌着固定した蓋を被冠し、前記有底箱の底面へ十字状に掛け回した紐を、前記蓋の頂板に等間隔に設けた孔に夫々挿通し、前記頂板の上で前記紐を縛着したことを特徴とする組立箱。
【発明の詳細な説明】
【０００１】
【発明の属する技術分野】
この発明は、一枚の薄板を折曲げて底板及び側壁とした有底箱を構成し、これに蓋を被冠して簡易箱とすることを目的とした組立箱に関する。
【０００２】
【従来の技術】
従来の組立箱は、底板の四周に側板を直立させ、各側板の両端縁を相互に固定して独立した箱とし、これに別製の蓋を被冠している。
【０００３】
また、一枚の紙よりなる包装材としては、例えば方形の薄紙の中央部に菓子などを置き、前記薄紙の四周を持ち上げて端部を適宜手段（例えば、金具、樹脂片で挟み、又は単にひねるなどの手段）で口部を止める包装が知られていた。
【０００４】
【発明により解決しようとする課題】
前記従来の組立箱は、側板と側板との掛止に接着剤を用いたり、挿入片を用いたりしており、比較的浅い箱に限られていた。
【０００５】
また、方形薄紙を用いた場合には所謂風呂敷方式であって、形態に自由度がある反面、包み紙の域を出ず不整形であった。
【０００６】
また、組立てに際し、金属片を使用し、又は糊を使用する場合もあった。
【０００７】
【課題を解決するための手段】
この発明は、箱の形成は単に折曲げるのみであり、これに蓋を組み合わせて、同一形態の保形性を確保し、前記従来と区別できる特質を保有した新しい箱を提供するものである。
【０００８】
従来一枚の紙を組立ててケーキなどの提げ箱とすることも知られているが、この発明は箱の側壁等に一切の切目のない、丈夫な、水密性を保つ箱を提供したものである。
【０００９】
即ちこの発明は、紙板の中央部に設けられた折目線で囲まれた方形の底隅角部から外側へ向けて設けられたほぼ３０度の２本の折目線に沿って折曲げ、側壁を形成して有底箱を構成し、この有底箱の口部に、短筒の上縁カール部の内側に頂板を嵌着固定した蓋を被冠し、一端を、前記有底箱の側壁の内側になった折曲げ部に夫々固定した紐の他端側は、前記頂板の孔を挿通し、頂板の上で縛着したことを特徴とする組立箱である。
【００１０】
また他の発明は、紙板の中央部に設けられた折目線で囲まれた方形の底隅角部から外側へ向けて設けられたほぼ３０度の２本の折目線に沿って折曲げ、側壁を形成して有底箱を構成し、この有底箱の口部に、短筒の上縁カール部の内側に頂板を嵌着固定した蓋を被冠し、前記有底箱の底面へ十字状に掛け回した紐を、前記蓋の頂板に等間隔に設けた孔に夫々挿通し、前記頂板の上で前記紐を縛着したことを特徴とする組立箱である。
【００１４】
この発明の箱及び蓋は、積み重ね（図１（ｂ）、図４（ｂ））ができるので、比較的小さい容積で多数収容することができる。
【００１５】
この発明の方法によれば、テープ状又は方形で与えられる厚紙を任意に打抜形成するので切屑が少なく、かつ高速製造し得ると共に、組立てはユーザができるので、製造者の手間を著しく省くことができる。
【００１６】
【発明の実施の形態】
この発明は、薄板（厚紙）を打抜形成し、その折線に沿って折曲げるのみで有底箱を組立てることができる。従って、材料及び与えられる形態は薄板であるから、積み重ねて多数枚を小容積で提供することができる。
【００１７】
また、蓋も側壁と頂とよりなり、側壁をテーパーにすると共に、比較的低く（高さが小さい）することによって、多数の蓋を小容積で収容することができる。
【００１８】
この発明の箱は、ユーザが組立てるので、製造者は、殆ど機械加工をするのみであり、高能率で、多量生産が可能である。
【００１９】
また、この発明の箱は、折線に沿って折曲げて組み立てた有底箱に菓子等の商品を詰めた後、その口部に蓋を被冠することになる。この蓋を有底箱の口部から脱落しないように固定するためには、紐を有底箱から蓋に亘って掛け回し、当該紐を結紐すればよい。このようにすれば、結紐した紐を摘んで箱を持ち運ぶことができる。
【００２０】
このときに、蓋に紐通し孔を設け、当該紐通し孔に紐を挿通して有底箱の下面に掛け回し、紐の端部を蓋上で結紐することができる。このようにすれば、紐が摺動して有底箱や、蓋の周縁にうまく掛からないということがなく、紐の結紐作業の効率を上げることができる。また、一旦結紐した紐も、外れ難くなる。
【００２１】
また、蓋だけでなく有底箱の側壁にも紐通し孔を設け、双方の紐通し孔に紐を挿通し、紐の端部を蓋上で結紐するようにすれば、有底箱の下面に紐を掛け回すことなく、蓋を有底箱の口部に固定することができる。
【００２２】
有底箱の口部に蓋を被冠せず、有底箱側壁の紐通し孔に挿通した紐を取っ手とすることもできる。例えば、有底箱側壁に２対の紐通し孔を設け、１対毎に紐をループ状に取り付けて取っ手とすれば、有底箱を小物入れとして使用することができ、取っ手を持って持ち運ぶことも可能であるし、室内等に吊して使用することもできる。
【００２３】
このように、この発明の箱は、特に包装しなくても客に提供することができ、包装紙が不要となり、資材の節約になるのみならず、商品を取り出した後も小物入れとして使用することができる。
【００２４】
また、箱を展開し、有底箱側壁に設けた前記紐通し孔や、これとは別に箱の周辺に孔を開け、これらの孔に紐を通せば、壁掛け又は掲示板とする等、他の目的に使用することができる。
【００２５】
【実施例１】
テープ状の矩形紙１を打抜いた紙板５の中央部に、折目線３で囲まれた正方形の底板２を設け、該底板２の隅角部より外側へ向けて二本の折目線４、４をほぼ３０度位に設けて箱用の紙板５とする（図１（ａ））。この紙板５は、組立前は、図１（ｂ）図示のように積み上げておくことができる。
【００２６】
該紙板５を折目線３、４に沿って折曲げて側壁６を形成して有底箱７を構成し、該有底箱７の口部へ頂板８を有する蓋９を被冠すれば組立箱１０となる。図中１１は紐、１２はテープである（図４（ａ））。
【００２７】
前記紙板５に孔１３、１３を設け紐１４で吊れば壁掛けとして使用することができる。この場合に、図４の紐１１を使用することもできる（図７）。
【００２８】
前記図１〜４の実施例は、正方形の底板２を用いたが、図５のように、多角形（１２角）の底板２ａとすることもできる。この場合には、底板２ａの折目線１６、１６の接合部から、外側へ夫々折目線１５、１５を設ければ、有底の多角筒１７が出来る。この場合にも、蓋９を被冠し、紐１１で縛着するが、角が多い程、円筒に近づき、蓋９を安定して被冠することが出来る。
【００２９】
要するに、三角以上の多角に形成できるが、図９図示のように有底三角筒１８の際には、蓋１９も三角筒となる。この場合にも、図８図示のように紙板の中央部に三角底板２ｂを設け、前記と同じように折目線２０、２１を設け、折目線２０、２１に沿って折り曲げれば有底三角筒１８を成形することができる。（図９）。
【００３０】
【実施例２】
この発明の他の実施例を図１０に基づいて説明する。この実施例の組立箱２６が実施例１の組立箱１０と異なる点は、紐１１による蓋２７の有底箱７への固定の仕方である。すなわち、蓋２７には、蓋９とは異なり、四カ所に紐通し用の孔２８ａ、２８ｂ、２８ｃ、２８ｄが設けてあり、図１０（ａ）図示のように有底箱７の下面に掛け回した紐１１を、孔２８ａ、２８ｂ、２８ｃ、２８ｄに挿通させ、紐１１の端部を蓋２７の上部で結紐している（図１０（ｂ））。このように蓋２７を紐１１で縛着すれば、紐１１を円形の蓋２７の周縁に掛けないため、紐１１が滑ることはない。このため、蓋２７を安定して有底箱７に固定することができる。
【００３１】
【実施例３】
この発明の他の実施例を図１１に基づいて説明する。この実施例の組立箱２９が実施例２の組立箱２６と異なる点は、紐３０の一端を有底箱３１に取り付け、他端を蓋２７に設けた紐通し用の孔２８ａ、２８ｂ、２８ｃ、２８ｄに挿通して、蓋２７の上部で結紐した点である。すなわち、有底箱３１は、有底箱７（図３、図１０）とは異なり、図１１（ａ）図示のように有底箱３１の上縁付近の四隅に紐通し用の孔３２ａ、３２ｂ、３２ｃ、３２ｄを設けてあり、紐３０を当該孔３２ａ、３２ｂ、３２ｃ、３２ｄと蓋２７に設けた孔２８ａ、２８ｂ、２８ｃ、２８ｄの全てに挿通させて紐３０の端部を蓋２７の上部で結紐している（図１１（ｂ））。
【００３２】
紐３０をこのように取り回せば、有底箱３１の側面に紐３０が現れることがなく、表面をすっきりと見せることができる。
【００３３】
図１１図示の実施例では、紐３０を４本用い、その一端を有底箱３１の外側から孔３２ａ、３２ｂ、３２ｃ、３２ｄに挿通して内側で玉結びをして有底箱３１に取り付けているが、紐３０は蓋２７に設けた孔２８ａ、２８ｂ、２８ｃ、２８ｄのいずれかに挿通でき、蓋２７の上部で結紐できればよい。例えば、紐を２本用い、１本を孔３２ａ、３２ｂに挿通し、もう１本を孔３２ｃ、３２ｄに挿通すれば、４カ所の紐の端部を孔２８ａ、２８ｂ、２８ｃ、２８ｄに挿通させ、蓋２７の上部で結紐して図１１（ｂ）と同様の状態とすることができる。
【００３４】
なお、孔３２ａ、３２ｂ、３２ｃ、３２ｄは、図１１（ａ）図示のように紙板５を折目線４で折り曲げて（図１（ａ））３重になった部分に貫通させて設けているので、紐３０に対する強度が確保されている。
【００３５】
【実施例４】
この発明の他の実施例を図１２について説明する。この実施例の組立箱３３は、蓋を被冠しない状態で小物入れ等として利用することができる。
【００３６】
図１２図示の組立箱３３は、有底箱自体は、実施例３に用いた有底箱３１と同一のものである。
【００３７】
組立箱３３は、有底箱３１に設けた紐通し用孔を孔３２ａ、３２ｂで一組、孔３２ｃ、３２ｄで一組として２本の紐３０をそれぞれループ状に取り付けて取っ手３４、３４としたものである。この取っ手３４、３４は、実施例３の図１１（ａ）の状態から蓋２７を取り去り、紐３０の端部を２本ずつ結んでループ状とすることもできる。
【００３８】
このようにすれば、実施例１乃至実施例３の状態から中身の商品を取り出した後であっても、小物入れとして持ち歩いたり、室内に吊り下げたりして、再利用することができる。
【００３９】
【実施例５】
この発明における製造方法の実施例を図１３について説明する。
【００４０】
テープ状の矩形紙１（大版紙でもよい）を打抜いて紙板５とし、該紙板５の中央部に折目線３で囲まれた底板２を設け、底板２の外側を折曲げて側壁６を形成して有底箱７を構成し、有底箱７に蓋９を被冠すると共に、紐１１で縛着すれば、この発明の組立箱１０が完成する。
【００４１】
また図１４は、細長いテープ紙を切断して紙片２２を切出し、その一側長縁２２ａをカール加工した後、前記紙片２２の両端の斜切部２２ｂ、２２ｃを接着して短筒２３とし、短筒２３に頂板２４を嵌着固定して蓋２５を構成した。
【００４２】
【発明の効果】
この発明によれば、一枚の薄版を折曲げて容器を形成し、蓋により全体を保形するので、簡単容易に堅固な容器とすることが出来る。この容器には、包装紙が不要であり、使用後展開すると、壁掛けなどに使用し得る利点もある。
【００４３】
また、蓋、有底箱の側面に設けた紐通し孔に紐を挿通して、当該紐を蓋の上部で結紐するようにしたので、蓋を有底箱の口部に安定して縛着でき、またその作業も容易に行うことができる効果がある。
【００４４】
この発明の製造方法によれば、薄版からの打抜き、切断、折目線つけなどは、何れもプレス加工で出来るので、製造が殆ど連続自動生産できる効果がある。
【図面の簡単な説明】
【図１】（ａ）この発明の実施例の箱構成紙板の展開図。
（ｂ）同じく一部省略した積上げ図。
【図２】同じく一部折曲げた斜視図。
【図３】同じく箱に蓋を被冠する斜視説明図。
【図４】（ａ）同じく箱に蓋を被冠し紐で結んだ状態の斜視図。
（ｂ）同じく蓋を重ねた状態の斜視図。
【図５】同じく他の実施例の紙板の展開図。
【図６】同じく図５により箱を構成した斜視図。
【図７】同じく箱を展開し、壁掛けとした場合の縮小概念図。
【図８】同じく他の実施例の箱の展開図。
【図９】同じく容器を構成した場合の斜視図。
【図１０】（ａ）同じく他の実施例の箱に紐を挿通した蓋を被冠する斜視説明図。
（ｂ）同じく箱に蓋を被冠し紐で結んだ状態の斜視図。
【図１１】（ａ）同じく他の実施例の箱に紐を挿通した蓋を被冠する斜視説明図。
（ｂ）同じく箱に蓋を被冠し紐で結んだ状態の斜視図。
【図１２】紐を取っ手とした実施例の斜視図。
【図１３】同じく箱製造の工程図。
【図１４】同じく蓋製造の工程図。
【符号の説明】
１  矩形紙
２  底板
３、４  折目線
５  紙板
６  側壁
７、３１  有底箱
８  頂板
９、２７  蓋
１０、２６、２９、３３  組立箱
１１、１４、３０  紐
１２  テープ
１３  孔
１５、１６、２０、２１  折目線
１７  多角筒
１８  三角筒
１９  蓋
２２  紙片
２３  短筒
２４  頂板
２５  蓋
２８ａ、２８ｂ、２８ｃ、２８ｄ、３２ａ、３２ｂ、３２ｃ、３２ｄ  孔
【図１】
0004164850.tif 000002
【図２】
0004164850.tif 000003
【図３】
0004164850.tif 000004
【図４】
0004164850.tif 000005
【図５】
0004164850.tif 000006
【図６】
0004164850.tif 000007
【図７】
0004164850.tif 000008
【図８】
0004164850.tif 000009
【図９】
0004164850.tif 000010
【図１０】
0004164850.tif 000011
【図１１】
0004164850.tif 000012
【図１２】
0004164850.tif 000013
【図１３】
0004164850.tif 000014
【図１４】
0004164850.tif 000015